(57)【要約】【課題】慶弔の品物をセットにして、型崩れしないように且つ整然と陳列支持しておくための盛籠用トレーおよびこれを一体化してなる盛籠装置を提供する。【解決手段】盛籠上に載置して、収納すべき収納物を高さ方向に積み重ね状に、且つ複数列状に配列支持するための盛籠用収納物配列支持トレーであって、少なくとも前面が開放した概して扁平な箱状トレーであり、背壁２、左右両側壁３、４、底壁５並びに前記左右両側壁間に平行して高さ方向にのびる複数条のリブ壁６とを備えており、前記背壁２が、幅方向中央から左右両側壁方向に向けて後方に湾曲しており、当該トレーを盛籠上に載置した際、前記背壁の上方が後方に向けて傾斜するものからなることを特徴とする盛籠用トレー。【選択図】図１
2005118335.tif 000002
【特許請求の範囲】
【請求項１】
盛籠上に載置して、収納すべき収納物を高さ方向に積み重ね状に、且つ複数列状に配列支持するための盛籠用収納物配列支持トレーであって、少なくとも前面が開放した概して扁平な箱状トレーであり、背壁、左右両側壁、底壁並びに前記左右両側壁間に平行して高さ方向にのびる複数条のリブ壁とを備えており、前記背壁が、幅方向中央から左右両側壁方向に向けて後方に湾曲しており、当該トレーを盛籠上に載置した際、前記背壁の上方が後方に向けて傾斜するものからなることを特徴とする盛籠用トレー。
【請求項２】
前記底壁が、幅方向中央から左右両側壁方向に向けて上方に傾斜する傾斜壁であることを特徴とする請求項１に記載の盛籠用トレー。
【請求項３】
前記盛籠用トレーが、比較的厚手の紙製シート材からなり、該紙製シート材は、少なくとも第１のシート部材と第２のシート部材の積合によって構成され、背壁、左右両側壁、底壁並びに前記左右両側壁間に平行して高さ方向にのびる複数条のリブ壁とを形成するものからなることを特徴とする請求項１あるいは請求項２に記載の盛籠用トレー。
【請求項４】
前記盛籠用トレーが、プラスチック材による一体成形体でなり、背壁、左右両側壁、底壁並びに前記左右両側壁間に平行して高さ方向にのびる複数条のリブ壁とを備えたものからなることを特徴とする請求項１あるいは請求項２に記載の盛籠用トレー。
【請求項５】
盛籠本体と、前記盛籠本体に対して一体的に形成されていて、収納すべき収納物を高さ方向に積み重ね状に、且つ複数列状に配列支持するための盛籠用トレーとからなり、前記盛籠用トレーは、少なくとも前面が開放した概して扁平な箱状トレーであり、背壁、左右両側壁、底壁並びに前記左右両側壁間に平行して高さ方向にのびる複数条のリブ壁とを備えており、前記背壁が、幅方向中央から左右両側壁方向に向けて後方に湾曲しているとともに、背壁の上方が後方に向けて傾斜するものからなることを特徴とする盛籠用トレーを一体化してなる盛籠装置。
【発明の詳細な説明】
【技術分野】
【０００１】
この発明は、慶事あるいは弔事（葬儀並びに法事）などにおいて、各種のお祝い品あるいは各種供物（特に、缶詰、缶ジュース、缶ビール、各種酒類ボトルなどのように比較的重量のある供物）を、セットにして、型崩れしないように且つ整然と陳列支持しておくための盛籠用トレーに関するものであり、且つ、これを盛籠台に一体化してなる盛籠装置に関するものである。
【背景技術】
【０００２】
周知のように、慶事に際しては各種のお祝い品をセットにして参加者に披露陳列する風習が広く知られており、葬儀あるいは法事などに際しては各種の供物をセットにして列席者に披露陳列する風習が広く知られている。従来、このようなお祝い品あるいは供物などを披露陳列する場合には、例えば、特許文献１〜３などに記載されているような盛籠あるいは盛籠台が用いられていた。
【０００３】
この特許文献１に記載の盛籠台は、盛籠台を供物収納ケース４と該ケースを取外し可能に装着する本体１とから構成し、該本体の下端側に脚フレーム８を形成し、該脚フレームの下面には複数のキャスター１１を回転自在に設けると共に、該脚フレームは後方に向かって拡開状に延出しており、複数の盛籠台を互いに重合可能に構成したものであって、本体が平面的な板状部材によって構成する点が大きな特徴のものであり、披露陳列するための収納物は平面的にしか陳列できず、しかも、型崩れ防止策も講じられておらず、陳列時に型崩れが生じるなどの問題点を有している。
【０００４】
一方、前記特許文献２に記載の盛籠は、基部２、起立板部３並びに表示板部４を構成要件とする盛籠であって、上記特許文献１に記載の盛籠台と同様に、披露陳列するための収納物は平面的にしか陳列できず、しかも、型崩れ防止策も講じられておらず、陳列時に型崩れが生じるなどの問題点を有している。
【０００５】
さらに、特許文献３に記載の盛籠は、高級酒をメインにセットして配列しようとするものであって、その具体的な構成は、上記する特許文献１および特許文献２のものと何ら変わるものでななく、披露陳列するための収納物は平面的にしか陳列することができないという問題点を有するものであった。
【０００６】
【特許文献１】特開平１１−２７６３３７号公報（要約、図１および図２）
【特許文献２】実開平５−２７９１４号公報（図１、図６および図７）
【特許文献３】特開平５−２７０５６８号公報（要約、図１および図２）
【発明の開示】
【発明が解決しようとする課題】
【０００７】
そこで、この発明では、上記する従来技術の問題点を解消すべくなしたものであって、特に重要な要素は、構造を簡略化するとともに、例えば、缶詰、缶ジュース、缶ビール、各種酒類ボトルなどのように比較的重量のある供物を各種セットにして、型崩れしないように且つ整然と陳列支持しておくための盛籠用トレー並びにこれを盛籠台に一体化してなる盛籠装置を提供するものである。
【課題を解決するための手段】
【０００８】
この発明は、上記する目的を達成するにあたって、具体的には、盛籠上に載置して、収納すべき収納物を高さ方向に積み重ね状、且つ、複数列状に配列支持するための盛籠用収納物配列支持トレーであって、少なくとも前面が開放した概して扁平な箱状トレーであり、背壁、左右両側壁、底壁並びに前記左右両側壁間に平行して高さ方向にのびる複数条のリブ壁とを備えており、前記背壁が、幅方向中央から左右両側壁方向に向けて後方に湾曲しており、当該トレーを盛籠上に載置した際、前記背壁の上方が後方に向けて傾斜するものからなることを特徴とする盛籠用トレーを構成するものである。
【０００９】
さらに、この発明において請求項２に記載の発明は、請求項１に記載の盛籠用トレーであって、前記底壁が、幅方向中央から左右両側壁方向に向けて上方に傾斜する傾斜壁であることを特徴とするものである。
【００１０】
さらにまた、この発明において請求項３に記載の発明は、請求項１あるいは請求項２に記載の発明であって、前記盛籠用トレーが、比較的厚手の紙製シート材からなり、該紙製シート材は、少なくとも第１のシート部材と第２のシート部材の積合によって構成され、背壁、左右両側壁、底壁並びに前記左右両側壁間に平行して高さ方向にのびる複数条のリブ壁とを形成するものからなることを特徴とするものである。
【００１１】
さらにまた、この発明において請求項４に記載の発明は、請求項１あるいは請求項２に記載の発明であって、前記盛籠用トレーが、プラスチック材による一体成形体でなり、背壁、左右両側壁、底壁並びに前記左右両側壁間に平行して高さ方向にのびる複数条のリブ壁とを備えたものからなることを特徴とするものでもある。
【００１２】
さらにまた、この発明において請求項５に記載の発明は、具体的には、盛籠本体と、前記盛籠本体に対して一体的に形成されていて、収納すべき収納物を高さ方向に積み重ね状に、且つ複数列状に配列支持するための盛籠用トレーとからなり、前記盛籠用トレーは、少なくとも前面が開放した概して扁平な箱状トレーであり、背壁、左右両側壁、底壁並びに前記左右両側壁間に平行して高さ方向にのびる複数条のリブ壁とを備えており、前記背壁が、幅方向中央から左右両側壁方向に向けて後方に湾曲しているとともに、背壁の上方が後方に向けて傾斜するものからなる盛籠用トレーを一体化してなる盛籠装置である。
【発明の効果】
【００１３】
この発明になる盛籠用トレーおよび当該盛籠用トレーを一体化してなる盛籠装置では、まず第１に、構造が極めて簡素的であり、部品点数が少なく、多量生産に適合する等の点において極めて有利に作用するものといえる。第２には、当該盛籠用トレーが、背壁、左右両側壁、底壁並びに前記左右両側壁間に平行して高さ方向にのびる複数条のリブ壁とを備えており、前記背壁が、幅方向中央から左右両側壁方向に向けて後方に湾曲しており、これを盛籠上に載置した際、前記背壁の上方が後方に向けて傾斜するように構成した点、さらには、前記底壁が、幅方向中央から左右両側壁方向に向けて上方に傾斜する傾斜壁である点などにおいて、収納物を立体的に陳列することができ、しかも、複数条のリブ壁によって強度化を図ると共に、収納物の型崩れを防止し、陳列目的を達するまで整然と陳列披露しておくことができる点においても極めて有効に作用するものといえる。
【発明を実施するための最良の形態】
【００１４】
以下、この発明になる盛籠用トレーおよび当該盛籠用トレーを一体化してなる盛籠装置について、図面に示す具体的な実施例にもとづいて詳細に説明する。図１は、既存の盛籠（仮想線で示す）に対して、この発明になる盛籠用トレーを載置して、当該盛籠用トレーに缶ビール並びにボトルを収納した使用状態の一例を示すものであって、図１Ａは、その概略的な正面図であり、図１Ｂは、その概略的な一側面図であり、図１Ｃは、当該盛籠用トレーの概略的な横断面図である。
【００１５】
一方、図２は、この発明になる盛籠用トレーが比較的厚手の紙製シートによって構成される実施例のものにあって、図２Ａは、その第１のシート部材の例を示す概略的な展開平面図であり、図２Ｂは、その第２のシート部材の例を示す概略的な展開平面図であり、図２Ｃは、底壁部分に対して補強的に組み合わされる補強片の一例を示す概略的な展開平面図である。
【００１６】
さらにまた、図３は、この発明になる盛籠用トレーを一体化してなる盛籠装置についての実施例を示すものであって、図３Ａは、その第１の実施例を示す概略的な斜視図であり、図３Ｂは、その第２の実施例を示す概略的な斜視図である。
【００１７】
まず、この発明になる盛籠用トレー１について、図１および図２に基づいて詳細に説明する。この発明において、前記盛籠用トレー１は、例えば、図１各図に示すように、既存の盛籠ＰＢにおける収納部内に載置して用いるものであって、収納すべき収納物Ｈを高さ方向に積み重ね状に、且つ、複数列状に配列支持するための盛籠用収納物配列支持トレーとして、少なくとも前面が開放した概して扁平な箱状トレーの形態をとるものである。
【００１８】
この発明になる盛籠用トレー１は、背壁２、左右両側壁３、４、底壁５並びに前記左右両側壁間に平行して高さ方向にのびる複数条のリブ壁６とを備えており、前記背壁２が、幅方向中央から左右両側壁３、４の方向に向けて後方に湾曲しており、当該盛籠用トレー１を盛籠ＰＢ上に載置した際、背壁２の上方が後方に向けて傾斜するように構成されており、さらにまた、前記底壁５が、幅方向中央から左右両側壁３、４の方向に向けて上方に傾斜するように構成されている。
【００１９】
この発明になる盛籠用トレー１は、プラスチック材による一体成形体であってもよいし、あるいは、図２各図に示すもののように、比較的厚手の紙製シート材によって構成したものであってもよい。後者の具体的な実施例について、図２各図並びに図１Ｃに基づいて詳細に説明する。
【００２０】
この発明において、比較的厚手の紙製シート材Ｓによって構成した盛籠用トレー１は、特に、強度的な点を考慮した場合、少なくとも第１のシート部材Ｓ１と第２のシート部材Ｓ２の積合によって構成される。さらに必要な場合は、底壁を補強するための第３のシート部材Ｓ３（図２Ｃ参照）を組み合わせたものであってもよい。
【００２１】
図２各図に示す実施例において、前記第１のシート部材Ｓ１は、当該盛籠用トレー１の内側を構成し、前記第２のシート部材Ｓ２は、当該盛籠用トレー１の外側を構成するものである。前記第１のシート部材Ｓ１は、幅方向中央部に中央背壁構成部１１Ａを有し、該中央背壁構成部１１Ａを中心に左右対称形状のものである。即ち、前記第１のシート部材Ｓ１は、中央の背壁構成部１１Ａの左右に、谷折り線１２、１２を介してリブ壁構成部１３、１３が連接されている。前記リブ壁構成部１３、１３は、中間部に山折り線１４、１４を備えていて、折り畳みによって２重のリブ壁６を形成するようになっている。前記リブ壁構成部１３、１３の各外側には、谷折り線１５、１５を介して左右背壁構成部１１Ｂ、１１Ｂが連接されている。
【００２２】
前記第１のシート部材Ｓ１の下縁は、中央背壁構成部１１Ａおよびリブ壁構成部１３、１３に渡って直線下縁１６ａを形成し、谷折り線１５、１５に交差する点から左右外側に向けて、上方に傾斜する傾斜下縁１６ｂ、１６ｂを形成する。
【００２３】
前記第１のシート部材Ｓ１は、前記左右背壁構成部１１Ｂ、１１Ｂの各外縁１７、１７、前記直線下縁１６ａ並びに前記傾斜下縁１６ｂ、１６ｂの各中間部分にそれぞれ外方に向けてのびる差し込み舌片１８、１８、１９ａ、１９ｂ、１９ｂを有している。
【００２４】
さらに、前記第１のシート部材Ｓ１には、前記谷折り線１２、１２に関連して、それぞれ内側に向いたコ字状切込線により、それぞれ一対の折り畳まれない差し込み舌片２０ａ、２０ａ、２０ｂ、２０ｂが設けてある。さらにまた、前記第１のシート部材Ｓ１には、前記谷折り線１５、１５に関連して、それぞれ外側に向いたコ字状切込線により、それぞれ一対の折り畳まれない差し込み舌片２１ａ、２１ａ、２１ｂ、２１ｂと、前記谷折り線１５、１５に関連して、それぞれ内側に向いた比較的大きなコ字状切込線により、それぞれ一対の折り曲げられる折り曲げ舌片２２ａ、２２ａ、２２ｂ、２２ｂとが設けてある。
【００２５】
一方、前記第２のシート部材Ｓ２は、幅方向中央部に中央背壁構成部３１Ａを有し、該中央背壁構成部３１Ａを中心に左右対称形状のものである。即ち、前記第２のシート部材Ｓ２は、中央の背壁構成部３１Ａの左右に、背壁を湾曲させるための山折り線３２、３２を介して左右背壁構成部３１Ｂ、３１Ｂが連接されており、さらに、前記左右背壁構成部３１Ｂ、３１Ｂの各外側には、谷折り線３３、３３を介して左右両側壁構成部３４、３４が設けてある。前記左右両側壁構成部３４、３４は、中間部に谷折り線３５、３５を備えていて、折り畳みによって２重の左右両側壁３、４を形成するようになっている。
【００２６】
前記第２のシート部材Ｓ２の下縁は、中央背壁構成部３１Ａに対して、直線的な谷折り線３６ａを介して中央底壁構成部３７Ａが連接せれていて、左右背壁構成部３１Ｂ、３１Ｂに対して、前記山折り線３２、３２に交差する点から左右外側に向けて上方に傾斜する傾斜的な谷折り線３６ｂ、３６ｂを介して左右底壁構成部３７Ｂ、３７Ｂが連接せれている。前記中央底壁構成部３７Ａ並びに左右底壁構成部３７Ｂ、３７Ｂは、それぞれ中間部に谷折り線３８ａ、３８ｂ、３８ｂを備えていて、それぞれ折り畳みによって２重の底壁５を形成するようになっている。
【００２７】
さらに、前記第２のシート部材Ｓ２には、前記山折り線３２、３２に関連して、前記第１のシート部材Ｓ１における差し込み舌片２０ａと２１ａを、２０ｂと２１ｂをそれぞれ重ね合わせた状態で受け入れる差し込み孔３９ａ、３９ａ、３９ｂ、３９ｂが設けてある。さらに、前記山折り線３２、３２に関連して、前記前記第１のシート部材Ｓ１における比較的大きな折り曲げ舌片２２ａ、２２ｂを受け入れる比較的大きなコ字状切込線４０ａ、４０ａ、４０ｂ、４０ｂが設けてある。
【００２８】
前記左右両側壁構成部３４、３４の外縁には、それぞれ一対の差し込み舌片４１ａ、４１ａ、４１ｂ、４１ｂが設けてあり、前記谷折り線３３、３３に関連して設けてある差し込み孔４２ａ、４２ａ、４２ｂ、４２ｂに差し込まれ、二重の左右両側壁３、４が形成されるようになっている。
【００２９】
一方、中央底壁構成部３７Ａ並びに左右底壁構成部３７Ｂ、３７Ｂの外縁には、それぞれ一対の差し込み舌片４３ａ、４３ｂ、４３ｂが設けてあり、前記谷折り線３８ａ、３８ｂ、３８ｂに関連して設けてある差し込み孔４４ａ、４４ｂ、４４ｂに差し込まれて、二重の底壁５が形成されるようになっている。
【００３０】
図２Ｃに示す第３のシート部材Ｓ３は、底壁５を補強するとともに、背壁２の湾曲の度合いを保持するためのものであり、山折り線４５を介して二つ折りに折り畳まれ、前記第１のシート部材Ｓ１および第２のシート部材Ｓ２における底壁構成部に対応して、その間に装着されるものからなっている。
【００３１】
さらに、この発明は、図３に示すように、盛籠用トレー５１と、これにに対して一体的である盛籠本体５２とからなる盛籠装置５０をも含むものである。この盛籠装置５０は、例えば、図３Ａあるいは図３Ｂに示すもののように、前記盛籠用トレー５１と盛籠本体５２とをプラスチック材により一体成形したものであってもよいし、あるいは、先の盛籠用トレー１の実施例で詳述したような比較的厚手の紙製シート材によって一体的に形成したものであってもよい。
【００３２】
図３Ａに示す盛籠装置５０Ａと、図３Ｂに示す盛籠装置５０Ｂとは、デザイン的な要素において相違するものの実質的な構造において、両者は何ら相違するものではない。即ち、両者において、前記盛籠用トレー５１は、収納すべき収納物を高さ方向に積み重ね状に、且つ複数列状に配列支持するためのものであって、少なくとも前面が開放した概して扁平な箱状トレーであり、背壁５３、左右両側壁５４、５５、底壁５６並びに前記左右両側壁間に平行して高さ方向にのびる複数条のリブ壁５７とを備えており、前記背壁５３が、幅方向中央から左右両側壁方向に向けて後方に湾曲しているとともに、背壁５３の上方が後方に向けて傾斜するものからなっている。
【００３３】
いずれの実施例のものにおいても、盛籠用トレー５１における背壁５３は、中央背壁構成部５３Ａと、左右背壁構成部５３Ｂ、５３Ｂとによって構成されており、前記中央背壁構成部５３Ａに対して前記左右背壁構成部５３Ｂ、５３Ｂは、中央側から左右両側に向けて後方に湾曲しており、盛籠用トレー５１における底壁５６は、中央底壁構成部５６Ａと、左右底壁構成部５６Ｂ、５６Ｂとによって構成されており、前記中央底壁構成部５６Ａに対して前記左右底壁構成部５６Ｂ、５６Ｂは、中央底壁構成部から左右両側の外側方向に向けて上方に傾斜するように形成されている。
【図面の簡単な説明】
【００３４】
【図１】図１は、既存の盛籠（仮想線で示す）に対して、この発明になる盛籠用トレーを載置して、当該盛籠用トレーに缶ビール並びにボトルなど（仮想線で示す）を収納した使用状態の一例を示すものであって、図１Ａは、その概略的な正面図であり、図１Ｂは、その概略的な一側面図であり、図１Ｃは、当該盛籠用トレーの概略的な横断面図である。
【図２】図２は、この発明になる盛籠用トレーが比較的厚手の紙製シートによって構成される実施例であって、図２Ａは、その第１のシート部材の例を示す概略的な展開平面図であり、図２Ｂは、その第２のシート部材の例を示す概略的な展開平面図であり、図２Ｃは、底壁部分に対して補強的に組み合わされる補強片の一例を示す概略的な展開平面図である。
【図３】図３は、この発明になる盛籠用トレーを一体化してなる盛籠装置についての実施例を示すものであって、図３Ａは、その第１の実施例を示す概略的な斜視図であり、図３Ｂは、その第２の実施例を示す概略的な斜視図である。
【符号の説明】
【００３５】
１  盛籠用トレー
ＰＢ  既存の盛籠
Ｈ  収納物
２  背壁
３、４  左右両側壁
５  底壁
６  複数条のリブ壁
Ｓ１  第１のシート部材
Ｓ２  第２のシート部材
Ｓ３  第３のシート部材
１１Ａ  中央背壁構成部
１１Ｂ、１１Ｂ  左右背壁構成部
１３  リブ壁構成部
１６ａ  直線下縁
１６ｂ  傾斜下縁
３１Ａ  中央背壁構成部
３１Ｂ、３１Ｂ  左右背壁構成部
３４  左右両側壁構成部
３７Ａ  中央底壁構成部
３７Ｂ  左右底壁構成部
５０  盛籠装置
５１  盛籠用トレー
５２  盛籠本体
５３  背壁
５４、５５  左右両側壁
５６  底壁
５７  複数条のリブ壁
【図１】
2005118335.tif 000003
【図２】
2005118335.tif 000004
【図３】
2005118335.tif 000005